(57)【要約】  本発明は、筐体表面に発光ダイオードをマトリクス状に複数配列させたＬＥＤ表示パネルを設けた携帯電話機等の携帯端末に関するものであり、携帯電話機の着信時、スピーカで着信メロディを鳴動させると共に、ＬＥＤ表示パネルに着信を表示させるようにしたものである。本発明によれば、発光ダイオードにより高輝度の表示が得られる。また、ＬＥＤ表示パネルを制御する制御マイコンへ着信メロディに応じた制御信号を供給することにより、制御マイコンがＬＥＤ表示パネル上に表示する画像を着信メロディに連動させて表示制御することができる。【特許請求の範囲】
【請求項１】
電子部品を収納した筐体表面に設けられ、外部に向けて投光する複数の発光ダイオード（ＬＥＤ）を平面上にマトリクス配列したＬＥＤ表示パネル、表示データに基づいて上記ＬＥＤ表示パネルの発光ダイオードを表示制御して二次元表示画像を上記ＬＥＤ表示パネル上に生成させる表示制御装置、予め記憶した音響データを音響出力部へ出力し、該音響出力部を鳴動させる音響部を備え、上記表示制御部は、上記音響データに応じた制御信号に連動させて上記ＬＥＤ表示パネル上に二次元表示画像を生成させることを特徴とする携帯端末。
【請求項２】
電子部品を収納した筐体表面に設けられ、外部に向けて投光する複数の発光ダイオード（ＬＥＤ）を平面上にマトリクス配列したＬＥＤ表示パネル、表示データに基づいて上記ＬＥＤ表示パネルの発光ダイオードを表示制御して二次元表示画像を上記ＬＥＤ表示パネル上に生成させる表示制御装置、着信を検知する着信検知手段、この着信検知手段が着信を検知したとき、予め記憶した音響データを音響出力部へ出力し、該音響出力部を鳴動させて着信を報知する音響部を備え、上記表示制御部は、上記音響データに応じた制御信号に連動させて上記ＬＥＤ表示パネル上に二次元表示画像を生成させることを特徴とする携帯端末。
【請求項３】
音響データは音楽データであり、表示制御部は、音楽データに応じた制御信号に連動させて上記ＬＥＤ表示パネル上に二次元表示画像を生成させることを特徴とする請求項１又は２に記載の携帯端末。
【請求項４】
表示制御部は、音響データの鳴動レベルに連動させて上記ＬＥＤ表示パネル上に二次元表示画像を生成させることを特徴とする請求項１又は２に記載の携帯端末。
【発明の詳細な説明】
【技術分野】
【０００１】
本発明は、携帯電話機等の携帯端末に関し、特に携帯端末の筐体表面にマトリクス配列された発光ダイオードを表示制御するようにした携帯端末に関する。
【背景技術】
【０００２】
従来、着信情報を報知する表示装置を設けた携帯電話機として特許文献１に記載されたものがある。この携帯電話機は、２つ折れ型の携帯電話機であって、主表示部を設けた表示側筐体の裏面に着信情報表示部として、キャラクタ表示部を設けたものである。電話着信があった場合、電話の図柄のキャラクタを内部に設けたバックライトとしてのＬＥＤ（発光ダイオード）が発光することにより光らせて、着信を報知するものである。【０００３】
【特許文献１】特開２００２−５１１３５号公報
【発明の開示】
【発明が解決しようとする課題】
【０００４】
特許文献１に記載された従来技術は、発光ダイオードの発光をバックライトとして使用しており、ユーザが離れた位置で電話着信を確認するためにはキャラクタ表示部を高輝度に光らせる必要があるが、そのためには発光ダイオードに高電流を流す必要があった。また、単に電話着信を報知するに留まった技術であり、着信を報知する着信メロディに連動した表示制御がなされておらず、ユーザが表示を楽しむことができないものであった。
【課題を解決するための手段】
【０００５】
本発明の請求項１に係る携帯端末は、電子部品を収納した筐体表面に設けられ、外部に向けて投光する複数の発光ダイオード（ＬＥＤ）を平面上にマトリクス配列したＬＥＤ表示パネル、表示データに基づいて上記ＬＥＤ表示パネルの発光ダイオードを表示制御して二次元表示画像を上記ＬＥＤ表示パネル上に生成させる表示制御装置、予め記憶した音響データを音響出力部へ出力し、該音響出力部を鳴動させる音響部を備え、上記表示制御部は、上記音響データに応じた制御信号に連動させて上記ＬＥＤ表示パネル上に二次元表示画像を生成させるように構成したものである。【０００６】
また、本発明の請求項２に係る携帯端末は、電子部品を収納した筐体表面に設けられ、外部に向けて投光する複数の発光ダイオード（ＬＥＤ）を平面上にマトリクス配列したＬＥＤ表示パネル、表示データに基づいて上記ＬＥＤ表示パネルの発光ダイオードを表示制御して二次元表示画像を上記ＬＥＤ表示パネル上に生成させる表示制御装置、着信を検知する着信検知手段、この着信検知手段が着信を検知したとき、予め記憶した音響データを音響出力部へ出力し、該音響出力部を鳴動させて着信を報知する音響部を備え、上記表示制御部は、上記音響データに応じた制御信号に連動させて上記ＬＥＤ表示パネル上に二次元表示画像を生成させるように構成したものである。
【発明の効果】
【０００７】
本発明によれば、複数の発光ダイオードを平面上にマトリクス配列したＬＥＤ表示パネルを表示させることにより、低消費電力で高輝度の表示を得ることができ、かつ、音響データに応じた制御信号に連動させてＬＥＤ表示パネル上に二次元表示画像を生成させるので、携帯電話機等の着信メロディ等に連動させて表示制御を行うことができる効果がある。
【図面の簡単な説明】
【０００８】
【図１】二つ折れ型の携帯電話機に本発明を適用した実施の形態１を示す斜視図である。
【図２】本発明の実施の形態１に係る２つ折れ型携帯電話機のブロック構成図である。
【図３】音響データに連動させた表示をＬＥＤ表示パネルに行う例を示した説明図である。
【符号の説明】
【０００９】
１  操作側筐体    ４  表示側筐体    ８  発光ダイオード    ９  ＬＥＤ表示パネル    １３  ベースバンドＩＣ    １４  メモリ部    １５  音響部    １５Ａ  メロディＩＣ    １６  スピーカ    ２４  制御マイコン    ２５  Ｘ方向制御ドライバ    ２６Ｙ方向制御ドライバ。
【発明を実施するための最良の形態】
【００１０】
図１は、二つ折れ型の携帯電話機に本発明を適用した実施の形態１を示す斜視図であり、図１（ａ）は二つ折れ型携帯電話機を開いた状態で正面側から見た斜視図、図１（ｂ）は背面側から見た斜視図である。【００１１】
図において、１は複数の操作キー２を配列した操作部を有した操作側筐体であり、一端側がヒンジ３により表示側筐体４の一端と連結されている。操作側筐体１の他端側にはユーザが通話に使用するマイク５が設けられている。一方、表示側筐体４の正面側には第１図（ａ）に示されるように文字や画像を表示する主表示部６が設けられている。この主表示部６は液晶表示装置（ＬＣＤ）である。表示側筐体４の他端側には通話相手の音声を出力するレシーバ７が設けられている。また、第１図（ｂ）に示すように表示側筐体４の背面側には複数の発光ダイオード（ＬＥＤ）８がマトリクス配列されたＬＥＤ表示パネル９が設けられている。このＬＥＤ表示パネル９は、表示側筐体４背面に形成した表示窓に装着されており、発光ダイオード８をｎ行×ｍ列、図の例では１７行９列の１５３個配列している。発光ダイオード８は、３．２ｍｍピッチで実装されており、ＬＥＤ表示パネル９の表示部分の大きさは約２．４インチ（５３．９ｍｍ×２８．３ｍｍ）である。したがって、ＬＥＤ表示パネル９は、表示側筐体４背面の略全域を占めており、比較的大きな画面に高輝度の表示をすることができる。【００１２】
図２は、実施の形態１に係る２つ折れ型携帯電話機のブロック構成図である。図において、１１は無線通信するためのアンテナで、通話相手からの電波を受信して、無線部１２へ入力する。無線部１２では入力した信号を増幅及び周波数変換してベースバンドＩＣ１３へ入力する。主制御装置としてのベースバンドＩＣ１３は、携帯電話機全体の制御を司るものであり、メモリ部１４に記憶されているプログラムにしたがって動作する。メモリ部１４はベースバンドＩＣ１３を動作させるプログラムの他に各種のデータ及びベースバンドＩＣ１３が処理するデータを記憶している。【００１３】
ベースバンドＩＣ１３は通話着信があった場合、音響部１５を介してスピーカ１６を鳴動し、着信をユーザに報知すると共に、ユーザが着信応答した場合、通話相手の端末と回線を接続して、マイク５及びレシーバ７を使って通話を可能にする。ユーザの音声はマイク５を通して携帯電話機に取り込まれ、音響部１５、ベースバンドＩＣ１３、無線部１２、アンテナ１１を介して送信される。【００１４】
１７は操作キー２からなる操作部である。１８はＲＴＣ（ｒｅａｌ  ｔｉｍｅ  ｃｌｏｃｋ）であり、正確な時間情報を出力する。電源制御部１９は電池２０の発生する電力を各部に供給すると共に、充電端子２１から入力する電力を電池２０へ給電し、電池２０を充電するものである。なお、電池２０は操作側筐体１に収納されている。２２は近距離データ通信を行うための赤外線通信手段、２３は携帯電話機に内蔵したカメラ（図１には図示せず。）である。【００１５】
９はＬＥＤ表示パネルであって、制御マイコン２４、Ｘ方向制御ドライバ２５、Ｙ方向制御ドライバ２６、及び１７行９列にマトリクス配置された発光ダイオード８からなる。制御マイコン２４、Ｘ方向制御ドライバ２５、Ｙ方向制御ドライバ２６は発光ダイオード８を表示制御する表示制御装置として機能する。【００１６】
本発明による携帯機器は、携帯機器筐体の表面に発光ダイオード８をマトリクス配置したもので、低消費電力で高輝度の表示が得られる。
また、１５Ａは複数の着信メロディのデータを記憶したメロディＩＣであり、ユーザが複数の着信メロディの中から選択設定した着信メロディのデータを着信時に読み出し、スピーカ１６に出力する。さらに、１５ＢはメロディＩＣ１５Ａが出力する着信メロディに応じた制御信号を生成するＬＥＤ連動信号導出部であり、該ＬＥＤ連動信号導出部１５Ｂの生成した制御信号は制御マイコン２４に供給される。制御マイコン２４は、ベースバンドＩＣ１３を介してメモリ部１４に記憶している表示データを入力し、上記ＬＥＤ連動信号導出部１５Ｂから供給された制御信号に連動させて表示データをＸ方向制御ドライバ２５、及びＹ方向制御ドライバ２６に入力する。即ち、着信時、スピーカ１６から着信メロディが鳴動され、かつ、その着信メロディに連動してＬＥＤ表示パネル９に二次元表示画像が表示されることになる。【００１７】
以下、着信メロディに連動した二次元表示画像をＬＥＤ表示パネル９に表示する手段について詳述する。【００１８】
音響部１５のメロディＩＣ１５Ａは、複数の着信メロディのデータを記憶しており、各着信メロディのデータは、ギター、ベース、ドラム等の楽器別に各々音階データと旋律データとからなっている。ＬＥＤ連動信号導出部１５Ｂは、例えばドラムの旋律に合わせたオンオフ信号を生成するものであり、そのオンオフ信号を制御マイコン２４へ供給する。制御マイコン２４ではベースバンドＩＣ１３を介して入力した表示データをオンオフ信号に連動させて、例えば、オン信号が供給されるごとに１コマごとの画像データをＸ方向制御ドライバ２５及びＹ方向制御ドライバ２６へ供給する。これにより、ＬＥＤ表示パネル９には着信メロディに連動してコマ送りがされる画像を表示することができる。【００１９】
ここで、表示データはメモリ部１４に記憶しているが、制御マイコン２４からＸ方向制御ドライバ２５及びＹ方向制御ドライバ２６へ画像データを送る手段として、オン信号が入力する毎にベースバンドＩＣ１３を介してメモリ部１４から１コマ毎の画像データを入力してＸ方向ドライバ２５及びＹ方向ドライバ２６へ送る方式と、ベースバンドＩＣ１３を介してメモリ部１４に記憶している画像データを全て制御マイコン２４のメモリに記憶させ、オン信号が入力する毎に該メモリに記憶させた画像データから１コマ毎読み出してＸ方向制御ドライバ２５及びＹ方向制御ドライバ２６へ送る方式が考えられる。本発明は何れの方式でも適用可能であるが、前者の方式を採用した場合、制御マイコン２４にメモリを設ける必要がなく、後者の方式を採用した場合、着信処理を実行しているベースバンドＩＣ１３の処理が軽減される。【００２０】
また、別の手段として、ＬＥＤ連動信号導出部１５Ｂの出力するオンオフ信号をベースバンドＩＣ１３に供給し、該ベースバンドＩＣ１３がオンオフ信号に連動してメモリ部１４から１コマ毎の画像データを制御マイコン２４に入力することも可能である。【００２１】
なお、上記実施の形態では着信メロディの旋律データに合わせたオンオフ信号に連動させて画像をコマ送りするものとしているが、着信メロディに限らず、他の音楽を再生している場合にも適用でき、さらには、音楽に限らず携帯電話機で通話している音声の有無や音声レベルに連動させるものであっても良い。また、画像データを音楽等に連動させた表示をする場合、コマの送りを連動させる以外に画像の輝度を変化させたり、画像を縮小・拡大表示させたり、種々の連動表示が可能である。【００２２】
図３は音響データに連動させた表示をＬＥＤ表示パネル９に行う例を４コマの画面を例にとって示したものである。図３（ａ）は第１の画面が三角形の図形、第２の画面が四角形の図形、第３の画面が６角形の図形、第４の画面が円の図形にしたもので、音響データに連動してＬＥＤ表示パネル９に表示する図形の画像を変化させるようにした例である。また、図３(ｂ)は第１の画面から第４の画面に順次切換わるにつれて四角形の図形が画面の左下から右上に移動するように変化させた例である。また、図３(ｃ)は第１の画面から第４の画面に順次切換わるにつれて四角形の図形が大きくなるように変化させた例である。また、図３(ｄ)は画面が切換わる毎に図形を表示する色を変化させた例である。【００２３】
このように、音響データに連動させた表示をＬＥＤ表示パネル９に行う例は種々考えられ、ユーザの好みに合わせた表示を適宜に選択設定することができる。
【産業上の利用可能性】
【００２４】
本発明は、着信を音響及び画面表示することによりユーザに報知する携帯電話機等に適用して便なるものである。
【図１】
2006043303.tif 000002
【図２】
2006043303.tif 000003
【図３】
2006043303.tif 000004
【国際調査報告】
2006043303.tif 000005
2006043303.tif 000006
2006043303.tif 000007
2006043303.tif 000008